(57)【要約】【課題】機器の制御の汎用性が高いエリア情報送受信システムを提供する。【解決手段】エリア情報送信装置１００の選択送信部１３０は、エリア情報格納部１２０に格納される複数のエリア情報のうち１以上のエリア情報を選択し、選択した１以上のエリア情報をエリア情報受信デバイス３００へ送信する。前記エリア情報受信デバイス３００の出力部３３０は、前記エリア情報を受信する毎に、受信した当該エリア情報をエリア情報受信デバイス３００が組み込まれた機器２００内の制御部２１０に送信する。前記機器２００は、前記エリア情報に応じた動作を行う。【選択図】図１
2013026753.tif 000002
【特許請求の範囲】
【請求項１】
機器を制御するための情報を少なくとも示すエリア情報の送受信のうち送信のみを行う機能を有するエリア情報送信装置と、前記エリア情報に応じた処理を行う携帯可能または移動可能な機器に組み込まれ、かつ、前記エリア情報の送受信のうち受信のみを行う機能を有するエリア情報受信デバイスを含む前記機器とを含むエリア情報送受信システムであって、
前記エリア情報送信装置は、エリアに対応づけて設置され、
前記エリア情報送信装置は、
複数のエリア情報を格納するエリア情報格納部と、
前記複数のエリア情報のうち１以上のエリア情報を選択し、選択した１以上のエリア情報を無線通信により前記エリア情報受信デバイスへ送信する選択送信部とを含み、
前記エリア情報受信デバイスは、
前記エリア情報送信装置から送信される前記エリア情報を無線通信により直接受信できるエリアに前記機器が存在する場合、前記エリア情報を受信し、当該エリア情報を受信する毎に、受信した当該エリア情報を前記機器内の制御部に送信する出力部とを含む
エリア情報送受信システム。
【請求項２】
前記機器は、状態の異なる複数のモードを有し、
前記機器内の制御部は、前記エリア情報を受信した場合、前記複数のモードのうち受信した前記エリア情報に応じたモードで前記機器を動作させる
請求項１に記載のエリア情報送受信システム。
【請求項３】
前記エリア情報には、前記複数のモードが対応づけられ、
前記複数のモードの各々には優先順位が設定され、
前記機器内の制御部は、前記エリア情報を受信した場合、前記複数のモードのうち優先順位が高いモードで前記機器を動作させる
請求項２に記載のエリア情報送受信システム。
【請求項４】
前記機器内の制御部は、前記エリア情報で指示されたモードで前記機器を動作させてから、前記エリア情報で示された所定時間経過後、前記機器を動作させているモードを解除する
請求項２又は３に記載のエリア情報送受信システム。
【請求項５】
前記機器は、異なる複数の機能を有し、
前記エリア情報は、前記複数の機能のうち特定の機能を制御するための情報であり、
前記機器内の制御部は、前記エリア情報を受信した場合、前記エリア情報に従って、前記複数の機能のうち前記特定の機能を制御する
請求項１に記載のエリア情報送受信システム。
【請求項６】
前記エリア情報送信装置の前記選択送信部は、複数のエリア情報を選択し、選択した当該複数のエリア情報を、順次、前記エリア情報受信デバイスへ送信する
請求項１に記載のエリア情報送受信システム。
【請求項７】
前記機器は、異なる複数の機能を有し、
前記選択送信部が選択した前記複数のエリア情報は、それぞれ、前記複数の機能を制御するための情報であり、
前記エリア情報受信デバイスの出力部は、前記選択送信部から受信した複数のエリア情報を前記機器内の制御部へ送信し、
前記機器内の制御部は、前記エリア情報に従って、受信した複数のエリア情報にそれぞれ対応する前記複数の機能を制御する
請求項６に記載のエリア情報送受信システム。
【請求項８】
請求項１〜７のいずれか１項に記載の前記エリア情報送信装置および前記エリア情報受信デバイスから構成されるエリア情報送受信システム。
【発明の詳細な説明】
【技術分野】
【０００１】
本発明は、機器を制御するためのエリア情報と、機器に関連情報を提供するエリア情報送受信システムに関する。
【背景技術】
【０００２】
近年、無線通信等により、機器を遠隔制御する様々な技術が開発されている。
【０００３】
例えば、特許文献１には、ペースメーカに接続されたマナー信号送信機がマナー信号を送信し、当該マナー信号を受信した携帯電話をマナーモードに設定する技術（以下、従来技術Ａともいう）が開示されている。
【先行技術文献】
【特許文献】
【０００４】
【特許文献１】特開２００５−２７７８３７号公報
【発明の概要】
【発明が解決しようとする課題】
【０００５】
しかしながら、従来技術Ａでは、携帯電話をマナーモードにするという１つの機能のみを実現する。そのため、機器の制御の汎用性が非常に低いという課題がある。
【０００６】
本発明は、このような問題を解決するためになされたものであり、機器の制御の汎用性が高いエリア情報送受信システムを提供することを目的とする。
【課題を解決するための手段】
【０００７】
上記目的を達成するために、本発明の一態様に係るエリア情報送受信システムは、機器を制御するための情報を少なくとも示すエリア情報の送受信のうち送信のみを行う機能を有するエリア情報送信装置と、前記エリア情報に応じた処理を行う携帯可能または移動可能な機器に組み込まれ、かつ、前記エリア情報の送受信のうち受信のみを行う機能を有するエリア情報受信デバイスを含む前記機器とを含む。前記エリア情報送信装置は、エリアに対応づけて設置される。前記エリア情報送信装置は、複数のエリア情報を格納するエリア情報格納部と、前記複数のエリア情報のうち１以上のエリア情報を選択し、選択した１以上のエリア情報を無線通信により前記エリア情報受信デバイスへ送信する選択送信部とを含み、前記エリア情報受信デバイスは、前記エリア情報送信装置から送信される前記エリア情報を無線通信により直接受信できるエリアに前記機器が存在する場合、前記エリア情報を受信し、当該エリア情報を受信する毎に、受信した当該エリア情報を前記機器内の制御部に送信する出力部とを含む。
【０００８】
すなわち、選択送信部は、前記複数のエリア情報のうち１以上のエリア情報を選択し、選択した１以上のエリア情報を前記エリア情報受信デバイスへ送信する。出力部は、前記エリア情報を受信する毎に、受信した当該エリア情報を前記機器内の制御部に送信する。前記機器は、前記エリア情報に応じた処理を行う。
【０００９】
つまり、機器を制御するための情報を示す複数のエリア情報のなかから選択したエリア情報により、機器を制御する。これにより、機器の制御の汎用性が高いエリア情報送受信システムを提供することができる。
【００１０】
また、好ましくは、前記機器は、状態の異なる複数のモードを有し、前記機器内の制御部は、前記エリア情報を受信した場合、前記複数のモードのうち受信した前記エリア情報に応じたモードで前記機器を動作させる。
【００１１】
また、好ましくは、前記エリア情報には、前記複数のモードが対応づけられ、前記複数のモードの各々には優先順位が設定され、前記機器内の制御部は、前記エリア情報を受信した場合、前記複数のモードのうち優先順位が高いモードで前記機器を動作させる。
【００１２】
また、好ましくは、前記機器内の制御部は、前記エリア情報で指示されたモードで前記機器を動作させてから、前記エリア情報で示された所定時間経過後、前記機器を動作させているモードを解除する。
【００１３】
また、好ましくは、前記機器は、異なる複数の機能を有し、前記エリア情報は、前記複数の機能のうち特定の機能を制御するための情報であり、前記機器内の制御部は、前記エリア情報を受信した場合、前記エリア情報に従って、前記複数の機能のうち前記特定の機能を制御する。
【００１４】
また、好ましくは、前記エリア情報送信装置の前記選択送信部は、複数のエリア情報を選択し、選択した当該複数のエリア情報を、順次、前記エリア情報受信デバイスへ送信する。
【００１５】
また、好ましくは、前記機器は、異なる複数の機能を有し、前記選択送信部が選択した前記複数のエリア情報は、それぞれ、前記複数の機能を制御するための情報であり、前記エリア情報受信デバイスの出力部は、前記選択送信部から受信した複数のエリア情報を前記機器内の制御部へ送信し、前記機器内の制御部は、前記エリア情報に従って、受信した複数のエリア情報にそれぞれ対応する前記複数の機能を制御する。
【００１６】
本発明の他の態様に係るエリア情報送受信システムは、前記エリア情報送信装置および前記エリア情報受信デバイスから構成される。
【発明の効果】
【００１７】
本発明により、機器の制御の汎用性が高いエリア情報送受信システムを提供することができる。
【図面の簡単な説明】
【００１８】
【図１】図１は、第１の実施形態に係るエリア情報送受信システムの構成を示す図である。
【図２】図２は、第１の実施形態に係るエリア情報送信装置の構成の一例を示す図である。
【図３】図３は、第１の実施形態に係るエリア情報受信デバイスの構成の一例を示す図である。
【図４】図４は、エリア情報のフォーマットの一例を示す図である。
【図５】図５は、エリア情報のフォーマットの構成（各項目）の一例を示す図である。
【図６】図６は、カテゴリ及びメッセージの一例を示す図である。
【図７】図７は、エリア情報の各項目のデータ長の一例を示す。
【図８】図８は、機器が携帯電話である場合における、携帯電話用フラグの状態遷移の一例を示す図である。
【図９】図９は、機器がカメラである場合における、カメラ用フラグの状態遷移の一例を示す図である。
【図１０】図１０は、機器が自動車である場合における、自動車用フラグの状態遷移の一例を示す図である。
【発明を実施するための形態】
【００１９】
以下、図面を参照しつつ、本発明の実施の形態について説明する。以下の説明では、同一の構成要素には同一の符号を付してある。それらの名称および機能も同じである。したがって、それらについての詳細な説明を省略する場合がある。
【００２０】
＜第１の実施形態＞
図１は、第１の実施形態に係るエリア情報送受信システム１０００の構成を示す図である。
【００２１】
図１に示すように、エリア情報送受信システム１０００は、エリア情報送信装置１００と、エリア情報受信デバイス３００と、エリア情報受信デバイス３００が組み込まれた機器２００とから構成される。
【００２２】
なお、エリア情報送受信システム１０００は、機器２００を含まなくてもよい。この場合、エリア情報送受信システム１０００は、エリア情報送信装置１００と、エリア情報受信デバイス３００とから構成される。
【００２３】
エリア情報送信装置１００は、詳細は後述するが、エリア情報の送受信のうち送信のみを行う機能を有する。ここで、エリア情報とは、機器２００を制御するための制御情報およびエリアに関するエリア関連情報の少なくとも一方を示す。エリア関連情報とは、エリアに関する情報である。本明細書において、エリアとは、エリア情報送信装置１００が通信可能な領域である。また、本明細書において、エリアとは、エリア情報受信デバイス３００が通信可能な領域でもある。エリア情報送信装置１００は、エリアに対応づけて設置される。
【００２４】
エリア情報送信装置１００は、詳細は後述するが、異なる複数のエリア情報を時分割多重で送信できる。これにより、エリア情報送信装置１００は、１つのエリア情報受信デバイス３００が組み込まれた機器２００内の複数の機能の制御ができる。エリア情報送信装置１００は、例えば、携帯電話の電話機能の制御、内蔵カメラ機能の制御、携帯電話がＧＰＳ信号を受信できない場所での位置情報の提供等が可能である。
【００２５】
エリア情報受信デバイス３００は、詳細は後述するが、エリア情報の送受信のうち受信のみを行う機能を有する。エリア情報受信デバイス３００は、機器２００の内部に組み込まれる。
【００２６】
機器２００は、携帯可能または移動可能な機器である。機器２００は、例えば、携帯電話、カメラ、自動車等の機器である。機器２００は、詳細は後述するが、エリア情報に応じた動作（処理）を行う。機器２００は、当該機器２００を制御するための制御部２１０を含む。
【００２７】
なお、エリア情報受信デバイス３００は、機器２００に着脱可能なように、当該機器２００に組み込まれてもよい。
【００２８】
エリア情報は、機器２００内で処理を完結することが出来る。そのため、機器２００内での処理を補う為の外部管理サーバー等は、必要としない。
【００２９】
エリア情報受信デバイス３００は、一般的な、ＲＦＩＤ（Radio Frequency IDentification）とは異なる。そのため、エリア情報受信デバイス３００は、ワイヤレス送信部、固有ＩＤを持たない。従って、エリア情報受信デバイス３００自体を一意に識別することはしないし、一意に識別する必要もない。
【００３０】
なお、エリア情報送受信システム１０００において、エリア情報送信装置１００とエリア情報受信デバイス３００との間での双方向通信は行われない。
【００３１】
図２は、第１の実施形態に係るエリア情報送信装置１００の構成の一例を示す図である。図２に示すように、エリア情報送信装置１００は、制御部１１０と、エリア情報格納部１２０と、選択送信部１３０と、通信Ｉ／Ｆ１４０と、操作パネル１５０とを備える。
【００３２】
エリア情報格納部１２０は、複数のエリア情報を格納する。
【００３３】
選択送信部１３０は、詳細は後述するが、エリア情報格納部１２０に格納された複数のエリア情報のうち１以上のエリア情報を選択し、選択した１以上のエリア情報を無線通信により前記エリア情報受信デバイス３００へ送信する。
【００３４】
なお、エリア情報送信装置１００を所定のエリアに設置する人が、例えば、操作パネル１５０等を利用して、予め、当該エリア内で制御したい機器のエリア情報（選択対象のエリア情報）を設定してもよい。この場合、選択送信部１３０は、エリア情報格納部１２０に格納された複数のエリア情報のうち、人により設定された当該選択対象のエリア情報を選択して、送信する。
【００３５】
選択送信部１３０は、選択回路１３１と、変調部１３２と、送信部１３３とを含む。
【００３６】
選択回路１３１は、制御部１１０の制御に従って、複数のエリア情報のうち、１以上のエリア情報を選択する。選択回路１３１は、複数のエリア情報を選択した場合、当該複数のエリア情報を時分割で多重する処理を行う。また、選択回路１３１は、必要に応じて、特定の時間帯で、エリア情報を切り替えて時分割多重する処理を行なうことも可能である。
【００３７】
変調部１３２は、制御部１１０によって指定された変調速度により、選択回路１３１が選択したエリア情報を変調し、当該エリア情報を示す信号を生成する。以下においては、エリア情報を示す変調された信号を、情報信号という。
【００３８】
送信部１３３は、無線通信を行う機能を有する。当該無線通信は、ＲＦ（Radio Frequency）無線通信であるとする。
【００３９】
送信部１３３は、制御部１１０により指定された周波数を利用して、情報信号を、アンテナ１３４を介して、エリア情報受信デバイス３００へ送信する。以下においては、送信部１３３が信号の送信に使用する周波数を送信周波数ともいう。
【００４０】
なお、送信部１３３が行う無線通信は、ＲＦ無線通信に限定されず、例えば、光を利用した光無線通信、または、ＲＦ無線通信及び光無線通信の両方であってもよい。
【００４１】
送信部１３３は、データ（情報）の送信の機能のみを有する。すなわち、エリア情報送信装置１００は、エリア情報受信デバイス３００とは双方向通信を行わない。
【００４２】
制御部１１０は、選択回路１３１に対し、必要に応じて、複数のエリア情報を多重する間隔の制御を行う。すなわち、制御部１１０は、必要に応じて、時分割多重の間隔を制御する。また、制御部１１０は、変調部１３２に対して、変調速度の制御を行う。すなわち、制御部１１０は、必要に応じて、変調速度を変更する。
【００４３】
また、制御部１１０は、送信部１３３に対して、出力制御、周波数制御等を行う。例えば、制御部１１０は、情報信号を到達させるエリアの範囲に応じて、送信部１３３の通信の出力レベルを変化させる。情報信号を無線通信により到達させるエリアは、例えば、エリア情報送信装置１００を中心とした半径１００メートルの円内の領域（エリア）である。
【００４４】
また、制御部１１０は、必要に応じて、送信部１３３が情報信号を送信するために使用する周波数（送信周波数）を変更する。
【００４５】
操作パネル１５０は、ユーザが操作可能なインタフェースである。
【００４６】
通信Ｉ／Ｆ１４０は、外部の機器と通信するためのインタフェースである。通信Ｉ／Ｆ１４０は、アンテナ１４１を利用して、外部の機器と、無線ＬＡＮを利用した通信を行う機能を有する。また、通信Ｉ／Ｆ１４０は、有線ＬＡＮを利用した通信を行う機能を有する。なお、通信Ｉ／Ｆ１４０は、無線ＬＡＮ及び有線ＬＡＮに限定されず、ＲＳ−２３２Ｃ規格に準拠した通信を行う機能を有していてもよい。
【００４７】
通信Ｉ／Ｆ１４０を利用した外部機器からの指示、または、操作パネル１５０を利用したユーザ操作等により、エリア情報、送信出力、変調速度、時分割多重間隔等は変更可能である。
【００４８】
図３は、第１の実施形態に係るエリア情報受信デバイス３００の構成の一例を示す図である。図３では、説明のために、エリア情報受信デバイス３００に含まれない制御部２１０も示される。
【００４９】
図３に示すように、エリア情報受信デバイス３００は、受信部３１０と、復調部３２０と、出力部３３０と、制御部３４０とを含む。
【００５０】
受信部３１０は、アンテナ３１１を利用して、エリア情報送信装置１００から送信される信号（情報信号）を受信する。すなわち、受信部３１０は、無線通信を行う機能を有する。当該無線通信は、ＲＦ無線通信であるとする。受信部３１０は、情報信号（エリア情報）の受信のみを行う機能を有する。すなわち、エリア情報受信デバイス３００は、エリア情報送信装置１００とは双方向通信を行わない。
【００５１】
なお、受信部３１０が行う無線通信は、ＲＦ無線通信に限定されず、例えば、光無線通信、または、ＲＦ無線通信及び光無線通信の両方であってもよい。
【００５２】
受信部３１０は、受信した情報信号を、復調部３２０へ送信する。
【００５３】
復調部３２０は、情報信号を復調することにより、エリア情報を取得する。そして、復調部３２０は、エリア情報を、出力部３３０へ送信する。
【００５４】
出力部３３０は、有線により、制御部２１０と接続される。出力部３３０は、復調部３２０からのエリア情報を、制御部２１０へ出力（送信）する。出力部３３０は、前記エリア情報送信装置１００から送信される前記エリア情報を無線通信により直接受信できるエリアに前記機器２００が存在する場合、前記エリア情報を受信し、当該エリア情報を受信する毎に、受信した当該エリア情報を前記機器２００内の制御部２１０に送信する。
【００５５】
異なる複数のエリア情報が時分割により信号に多重されている場合は、受信部３１０、復調部３２０及び出力部３３０の動作により、複数のエリア情報の受信順に、当該複数のエリア情報は、順次、制御部２１０へ送出される。なお、フィルタリングが必要である場合、機器２００側でフィルタリングが行われる。
【００５６】
制御部３４０は、受信部３１０及び出力部３３０の制御を行う。なお、制御部２１０は、必要に応じて、制御部３４０に対し、エリア情報受信デバイスの確認のための指示、エリア情報受信デバイスの動作のＯＮ／ＯＦＦの切替の指示、受信周波数の切替の指示等を行う。制御部３４０は、制御部２１０からの指示に従って処理を行う。なお、受信部３１０が、信号の受信に使用する周波数は固定であっても良い。
【００５７】
制御部３４０は、制御部２１０からの指示に従って、例えば、エリア情報受信デバイス３００の確認機能をＯＮとし、規定の情報を送出する。この機能により改造等による機能妨害を防ぐことが出来る。
【００５８】
なお、組み込み機器（機器２００）側にスキャン機能を持たせることにより、受信範囲の死角を回避することが出来る。
【００５９】
なお、エリア情報受信デバイス３００の動作電源は、外部から供給されてもよい。これにより、受信アンテナ（アンテナ３１１）の小型化が可能である。
【００６０】
エリア情報受信デバイス３００は、エリア情報送信装置１００が使用する変調速度及び送信周波数に対応した受信デバイスである。この構成により、情報が提供される機器２００の動作に応じた受信デバイス（エリア情報受信デバイス３００）を選択することができる。
【００６１】
次に、エリア情報について説明する。
【００６２】
エリア情報送信装置１００は、エリア情報を定期的に、エリア情報受信デバイス３００（機器２００）へ送信する。エリア情報を受信するための機器２００の制御部２１０は、エリア情報受信デバイス３００の出力部３３０から、一定期間、該当エリア情報が送出されなくなったら、エリア範囲外と判定する。すなわち、制御部２１０は、エリア情報送信装置１００が、通信可能なエリア（領域）に存在しないと判定する。これにより、制御部２１０は、エリア情報送信装置１００が、エリア情報受信デバイス３００（機器２００）と通信可能なエリアの内部または外部に存在することを検出することが出来る。
【００６３】
図４は、エリア情報のフォーマットの一例を示す図である。エリア情報は、機器２００を制御するための制御情報およびエリアに関するエリア関連情報の少なくとも一方を示す。
【００６４】
図４に示すように、エリア情報は、項目として、ヘッダ、カテゴリ、メッセージ、チェックＳＵＭ，ターミネータ等が示される。１つのエリア情報の先頭には、［＄］が示される。また、１つのエリア情報の後尾には、［ＣＲ］［ＬＦ］が示される。
【００６５】
１つのエリア情報内のメッセージ部は“，”で区切られる。エリア情報のサイズは可変長である。１つのエリア情報の最大長は１２８バイトである。なお、メッセージは、継続フラグを持つこともある。この継続フラグにより、分割された複数のメッセージを連結することが可能である。
【００６６】
なお、エリア情報のフォーマットは、図４に示されるフォーマットに限定されず、他のフォーマットであってもよい。
【００６７】
図５は、エリア情報のフォーマットの構成（各項目）の一例を示す図である。
【００６８】
図５において、ヘッダ、カテゴリ、チェックＳＵＭの［＊］、ターミネータは、ＡＳＣＩＩコードで表現する。アルファベットの小文字、大文字は区別があるものとする。なお、メッセージ部のフィールド数は、メッセージ毎で異なることもある。
【００６９】
チェックＳＵＭの計算方法は、以下の通りとする。［＄］の直後から、チェックＳＵＭの［＊］直前までの全てのキャラクターのＸＯＲ値をチェックＳＵＭとして設定する。
【００７０】
なお、エリア情報のフォーマットの各項目は、図５に示される条件に限定されず、他の条件であってもよい。例えば、ヘッダのデータ長（サイズ）は、５バイトに限定されず、例えば、４バイトであってもよい。
【００７１】
図６は、図５に示されるカテゴリ及びメッセージの一例を示す図である。
【００７２】
図６において、カテゴリは制御情報と関連情報とに大分類され、例えば、Ｐｈｎ、Ｃａｍ、Ｃｍｐ、Ｖｅｃは、機器を制御するためのカテゴリの識別名である。また、これらのメッセージは制御のためのモードをも意味する場合がある。例えば、Ｇｐｓは、関連情報であるエリア（位置）に関する情報のカテゴリの識別名であり、Ｔｘｔはエリアの関連情報をテキスト形式で示すカテゴリの識別名である。
【００７３】
図６において、例えば、「ＰｏｗＯｆ，９９９９」とは、機器２００が携帯電話である場合、携帯電話の電源を、９９９９分間、電源オフするということを示す。
【００７４】
なお、補足事項に示されるように、継続時間において、時間単位を追加してもよい。時間単位は、例えば、１秒単位、５秒単位、１０秒単位、１５秒単位、３０秒単位、１分単位等である。
【００７５】
継続フラグは、例えば、０または１で表される。
【００７６】
なお、図６に示される内容は一例であってこの内容に限定されない。例えば、カテゴリの識別名、メッセージ等は適宜変更してもよい。
【００７７】
図７は、エリア情報の各項目のデータ長の一例を示す。
【００７８】
図７の場合、シリアル非同期通信として、スタートビット及びストップビットを１とし、ボーレートを１９．２ｋｂｐｓとした時、１秒間に１９２０バイト送信できる。そのため、図７のメッセージ内容で約７０メッセージを送信することが出来る。
【００７９】
（携帯電話への組込み例）
次に、エリア情報受信デバイス３００を携帯電話に組み込んだ場合の処理、すなわち、機器２００が携帯電話である場合の処理について説明する。以下においては、携帯電話により使用される通信回線を、携帯電話回線ともいう。
【００８０】
携帯電話回線の周波数と、エリア情報送信装置１００の送信周波数は異なるものとすることができる。そのため、エリア情報受信デバイス３００は、携帯電話回線とは独立して動作することができる。
【００８１】
図８は、機器２００が携帯電話である場合における、携帯電話用フラグの状態遷移の一例を示す図である。図８において、例えば、「キー入力電源ＯＦＦ」とは、携帯電話のキー入力により、携帯電話が電源ＯＦＦであることを示す。また、「エリア情報電源ＯＦＦ」とは、エリア情報の指示によって、携帯電話が電源ＯＦＦであることを示す。
【００８２】
また、携帯電話におけるキー入力による電源ＯＦＦモードと、オフラインモードの更新と、マナーモードとは、エリア情報の設定において優先順位を持たせることにより柔軟な制御が可能となる。
【００８３】
詳細は後述するが、携帯電話が、例えば、図８の「４→２」に対応する状態になり、所定の継続時間が終了した後、エリア情報の指示による電源ＯＦＦ、オフラインモード及びマナーモードＯＮを、それぞれ、電源ＯＮ、オンラインモード及びマナーモードＯＦＦにし、携帯電話は再度の受信に備える。これらの動作は携帯電話を持っているユーザの未操作を防ぐための予備的手段であり、動作を保障するものではない。
【００８４】
例えば、電源がオンである携帯電話が、エリア情報の指示により携帯電話が電源ＯＦＦになった場合、電源ＯＦＦになってから所定の継続時間が経過した後、当該携帯電話の電源をオンにする。ここで、継続時間は、例えば、６０分である。これにより、携帯電話は、再度の受信に備えることができる。なお、一時解除の場合、一時解除の継続時間は、例えば、緊急電話中（１１０、１１９番等）、もしくは１５秒である。
【００８５】
この場合、携帯電話（機器２００）は、例えば、電源ＯＦＦモード、オフラインモード、マナーモード等を有する。すなわち、エリア情報には、複数のモードが対応づけられ、機器２００（携帯電話）は、状態の異なる複数のモードを有する。また、電源ＯＦＦモード、オフラインモード、マナーモードは、例えば、電源ＯＦＦモード＞オフラインモード＞マナーモードという優先順位が設定される。この場合、例えば、オフラインモードよりも、電源ＯＦＦモードの方が優先して設定される。すなわち、前記複数のモードの各々にはエリア情報が示すメッセージ内容によって優先順位が設定される。言い換えれば、前記機器２００内の制御部２１０は、前記エリア情報を受信した場合、前記複数のモードのうち優先順位が高いモードで前記機器２００を動作させる。
【００８６】
（電源ＯＦＦモードの制御例）
例えば、病院内（入出口から離れたところ）にエリア情報送信装置１００を設置する。エリア情報は、一例として、電源ＯＦＦモードを２時間継続するための指示を示すとする。この場合、エリア情報に使用されるメッセージは、例えば、“PhnPowOf,0120”である。
【００８７】
以下においては、エリア情報送信装置１００が、送信部１３３を利用した無線通信により、送信対象の信号を到達させることが可能なエリア（領域）を、通信可能エリアともいう。
【００８８】
エリア情報送信装置１００は、所定時間（例えば、３秒）毎に、エリア情報を示す情報信号を無線通信により、通信可能エリア内に送信しているとする。この場合、電源がオンしている携帯電話を持っているユーザが、通信可能エリア内に入ることで、携帯電話（機器２００）内の制御部２１０は、エリア情報を受信し、携帯電話の電源をオフにする。すなわち、制御部２１０は、携帯電話を電源ＯＦＦモードに設定する。つまり、前記機器２００内の制御部２１０は、前記エリア情報を受信した場合、前記複数のモードのうち受信した前記エリア情報に応じたモードに設定する。言い換えれば、前記機器２００内の制御部２１０は、前記エリア情報を受信した場合、前記複数のモードのうち受信した前記エリア情報に応じたモードで前記機器２００を動作させる。
【００８９】
これにより、病院内に持ち込まれた携帯電話を電源ＯＦＦモードにする。つまり、携帯電話の電源をオフにすることが可能となる。これにより、ユーザは、病院内に入る際に、携帯電話の電源をオフにするといった操作をする必要がなくなる。そのため、ユーザの利便性を向上させることができる。
【００９０】
なお、この場合、エリア情報送信装置１００が行う通信は近距離通信で良いので、エリア情報送信装置１００の送信出力を低出力とすることができ、医療機器への影響を抑えることができる。
【００９１】
なお、携帯電話は、受信した該当エリア情報により電源ＯＦＦとする。また、携帯電話が該当エリア情報を再受信した時、電源ＯＦＦモードが継続中であればそのままとする。
【００９２】
また、他の例としては、病院の入出口付近にエリア情報送信装置１００を設置してもよい。そして、エリア情報送信装置１００は、携帯電話の電源をオンにするための指示を示すエリア情報を、通信可能エリア内に送信するとする。
【００９３】
これにより、病院内に一旦入り、電源がオフとなった携帯電話を持っているユーザが、病院の入出口から病院の外に出るときに携帯電話において以下の処理が行われる。すなわち、携帯電話（機器２００）内の制御部２１０は、病院の入出口付近に設置されるエリア情報送信装置１００から送信されるエリア情報の受信に応じて、携帯電話の電源をオンにする。その結果、ユーザは、携帯電話をオンにするという操作を行う必要がなくなるため、ユーザの利便性を向上させることができる。
【００９４】
また、携帯電話が、エリア情報の指示により、電源ＯＦＦを継続しているときに、例えば、緊急電話等を行うために、ユーザにより、電源をオンするためのキー入力があったとする。この場合、携帯電話（機器２００）内の制御部２１０は、電源ＯＦＦを一時的に解除する。そして、制御部２１０は、緊急電話時（１１０、１１９等）終了後、もしくは、所定の継続時間（例えば、１５秒）後に、携帯電話内の制御部２１０は、元の状態（電源ＯＦＦモード）に戻す。この処理の遷移は、図８の電源ＯＦＦモードに対応する前回状態“２”と、キー入力“ＯＮ”とにより特定される「４→２」に対応する。
【００９５】
携帯電話の電源がＯＦＦ状態でも、エリア情報受信デバイス３００は、バックグラウンドで独立して動作する。これにより、エリア情報により、携帯電話の電源ＯＦＦ状態を解除することも出来る。また、電波を送信しなければ良いのであれば、オフラインで代用することも可能である。
【００９６】
なお、時間帯に応じて１台のエリア情報送信装置１００で、同一の通信可能エリアにおいて、送信するエリア情報を切り替えてもよい。これにより、柔軟な運用が可能となる。例えば、授業中は携帯電話の電源ＯＦＦとし、休憩時間には電源ＯＮとする制御をしてもよい。
【００９７】
（オフラインモードの制御例）
エリア情報送信装置１００を、例えば、電車、バス等の優先座席付近に設置する。エリア情報送信装置１００が送信するエリア情報は、一例として、オフラインモードを５分間継続するための指示を示すとする。この場合、エリア情報に使用されるメッセージは、例えば、“PhnOfLine,0005”である。
【００９８】
エリア情報送信装置１００は、所定時間（例えば、３秒）毎に、エリア情報を示す情報信号を無線通信により、通信可能エリア内に送信しているとする。この場合、オンラインモードである携帯電話を持っているユーザが通信可能エリア内に入ることで、携帯電話（機器２００）内の制御部２１０は、エリア情報に従って、携帯電話をオフラインモードにする。これにより、優先座席付近の携帯電話を指示された継続時間、オフラインモードにすることが可能となる。そして制御部２１０は、継続時間の５分が経過したならばオフラインモードをオンラインモードに戻し、再受信に備える。
【００９９】
また、携帯電話が該当エリア情報を再受信した時、オフラインモードが継続中であればそのままとする。
【０１００】
すなわち、前記機器２００内の制御部２１０は、前記エリア情報で指示されたモードを設定してから、前記エリア情報で示された所定時間経過後、設定したモードを解除する。言い換えれば、前記機器２００内の制御部２１０は、前記エリア情報で指示されたモードで前記機器２００を動作させてから、前記エリア情報で示された所定時間経過後、前記機器２００を動作させているモードを解除する。
【０１０１】
また、他の使用例としては、駅の改札入出口、バス停等付近にエリア情報送信装置１００を設置する。エリア情報送信装置１００が送信するエリア情報は、一例として、携帯電話をオンラインモードにするための指示を示すとする。これにより、エリア情報によりオフラインモードである携帯電話を持っているユーザが、改札入出口、バス停等付近に近づいたときに携帯電話において以下の処理が行われる。すなわち、携帯電話（機器２００）内の制御部２１０は、改札入出口、バス停等付近に設置されるエリア情報送信装置１００から送信されるエリア情報の受信に応じて、携帯電話をオンラインモードにする。その結果、ユーザは、携帯電話をオンラインモードにするという操作を行う必要がなくなるため、ユーザの利便性を向上させることができる。
【０１０２】
また、携帯電話が、エリア情報の指示により、オフラインモードを継続しているときに、例えば、緊急電話等を行うために、ユーザにより、オンラインモードにするためのキー入力があったとする。この場合、携帯電話（機器２００）内の制御部２１０は、オフラインモードを一時的に解除する。そして、制御部２１０は、緊急電話時（１１０、１１９等）終了後、もしくは、所定の継続時間（例えば、１５秒）後に、携帯電話内の制御部２１０は、元の状態（オフラインモード）に戻す。この処理の遷移は、図８のオフラインモードに対応する前回状態“２”と、キー入力“ＯＮ”とにより特定される「４→２」に対応する。
【０１０３】
（マナーモードの制御例）
エリア情報送信装置１００を、例えば、映画館の上映室、美術館の展示室等に設置する。エリア情報送信装置１００が送信するエリア情報は、一例として、マナーモードをオンにした状態を１８０分間（３時間）継続するための指示を示すとする。この場合、エリア情報に使用されるメッセージは、例えば、“PhnManOn,0180”である。
【０１０４】
エリア情報送信装置１００は、所定時間（例えば、１分）毎に、エリア情報を示す情報信号を無線通信により、通信可能エリア内に送信しているとする。この場合、マナーモードがオフにされている携帯電話を持っているユーザが、通信可能エリア内に入ることで、携帯電話（機器２００）内の制御部２１０は、エリア情報に従って、携帯電話のマナーモードをオンにする。これにより、携帯電話のマナーモードをオンにすることが可能となる。
【０１０５】
また、携帯電話が該当エリア情報を再受信した時、マナーモードのオン状態が継続中であればそのままとする。
【０１０６】
また、他の使用例としては、例えば、映画館、美術館等の入出口付近にエリア情報送信装置１００を設置する。エリア情報送信装置１００が送信するエリア情報は、一例として、携帯電話のマナーモードをオフにするための指示を示すとする。
【０１０７】
これにより、映画館、美術館等内に一旦入り、マナーモードがオンとなった携帯電話を持っているユーザが、入出口から映画館、美術館等の外に出るときに携帯電話において以下の処理が行われる。すなわち、携帯電話（機器２００）内の制御部２１０は、映画館、美術館等の入出口付近に設置されるエリア情報送信装置１００から送信されるエリア情報の受信に応じて、携帯電話のマナーモードをオフにする。その結果、ユーザは、携帯電話のマナーモードをオフにするという操作を行う必要がなくなるため、ユーザの利便性を向上させることができる。
【０１０８】
（複数の機能を有する機器への組込み例）
次に、エリア情報受信デバイス３００を複数の機能を有する機器に組み込んだ場合の処理、すなわち、機器２００が複数の機能を有する機器である場合の処理について説明する。機器２００は、一例として、カメラ内蔵の携帯電話（以下、カメラ付携帯電話ともいう）であるとする。この場合、エリア情報受信デバイス３００は、カメラ付携帯電話に組み込まれる。
【０１０９】
カメラ付携帯電話（機器２００）は、電話機能、カメラ機能等を有する。すなわち、機器２００（カメラ付携帯電話）は、異なる複数の機能を有する。
【０１１０】
また、エリア情報格納部１２０には、一例として、電話機能及びカメラ機能をそれぞれ制御するための２つのエリア情報が格納されているとする。この場合、エリア情報送信装置１００の選択送信部１３０は、電話機能及びカメラ機能をそれぞれ制御するための２つのエリア情報を選択する。そして、選択送信部１３０は、選択した２つのエリア情報を、順次、無線通信により、エリア情報受信デバイス３００へ送信する。
【０１１１】
すなわち、前記エリア情報送信装置１００の前記選択送信部１３０は、複数のエリア情報を選択し、選択した当該複数のエリア情報を、順次、前記エリア情報受信デバイス３００へ送信する。なお、この場合、前記選択送信部１３０が選択した前記複数のエリア情報は、それぞれ、前記複数の機能を制御するための情報である。
【０１１２】
そして、前記エリア情報受信デバイス３００の出力部３３０は、前記選択送信部１３０から受信した複数のエリア情報を前記機器２００内の制御部２１０へ送信する。前記機器２００内の制御部２１０は、前記エリア情報に従って、受信した複数のエリア情報にそれぞれ対応する前記複数の機能を制御する。
【０１１３】
これにより、カメラ付携帯電話（機器２００）内の制御部２１０は、電話機能の制御と内蔵カメラの制御とを同時に行うことができる。すなわち、エリア情報は、時分割に多重して送信が可能であるので、１つのエリア情報受信デバイス３００において単独の機能の使用のみならず、電話機能の制御と内蔵カメラの制御とを同時に行うことができる。
【０１１４】
なお、上記の例では、複数の機能を制御する処理について説明したが、複数の機能のうち、特定の機能を制御するようにしてもよい。この場合、エリア情報送信装置１００は、例えば、カメラ機能を制御するためのエリア情報のみを送信してもよい。すなわち、エリア情報は、前記複数の機能のうち特定の機能（例えば、カメラ機能）を制御するための情報である。そして、前記機器内の制御部は、前記エリア情報を受信した場合、前記エリア情報に従って、前記複数の機能のうち前記特定の機能を制御する。
【０１１５】
（カメラの制御例）
また、他の例として、機器２００は、撮影機能、フラッシュ機能等を有するカメラ（デジタルカメラ）であるとする。
【０１１６】
図９は、機器２００がカメラである場合における、カメラ用フラグの状態遷移の一例を示す図である。
【０１１７】
ここで、エリア情報送信装置１００を、動物園、水族館等に設置する。エリア情報送信装置１００のエリア情報格納部１２０には、エリア情報Ａが格納されているとする。
【０１１８】
エリア情報Ａは、フラッシュ禁止モードを６０分間継続するための指示を示すとする。フラッシュ禁止モードとは、フラッシュを禁止するためのモードである。この場合、エリア情報Ａに使用されるメッセージは、例えば、“CamFlsDis,0060”である。
【０１１９】
この場合、エリア情報送信装置１００の選択送信部１３０は、所定時間（例えば、１分）毎に、エリア情報格納部１２０に格納されているエリア情報Ａを選択するとともに、選択した当該エリア情報Ａを、通信可能エリア内に送信しているとする。ここで、エリア情報受信デバイス３００は、通信可能エリア内に配置されているとする。この場合、エリア情報受信デバイス３００は、エリア情報Ａを受信する。
【０１２０】
エリア情報受信デバイス３００の出力部３３０は、選択送信部１３０から受信したエリア情報Ａを機器２００内の制御部２１０へ送信する。
【０１２１】
この場合、カメラ（機器２００）を持っているユーザが、通信可能エリア内に入ることにより、エリア情報受信デバイス３００の出力部３３０は、選択送信部１３０から受信したエリア情報Ａを機器２００内の制御部２１０へ送信する。そして、カメラ（機器２００）内の制御部２１０は、エリア情報に従って、カメラ（機器２００）のモードを、フラッシュ禁止モードに設定する。
【０１２２】
これにより、ユーザにより、動物園、水族館等に持ち込まれたカメラ（機器２００）は、フラッシュが使用できなくなる。
【０１２３】
また、例えば、動物園、水族館等の入出口付近にエリア情報送信装置１００を設置する。エリア情報送信装置１００が送信するエリア情報は、一例として、フラッシュ禁止モードを解除するための指示を示すとする。
【０１２４】
これにより、動物園、水族館等内に一旦入り、フラッシュ禁止モードがオンとなったカメラを持っているユーザが、動物園、水族館等の入出口から外に出るときにカメラにおいて以下の処理が行われる。すなわち、カメラ（機器２００）内の制御部２１０は、動物園、水族館等の入出口付近に設置されるエリア情報送信装置１００から送信されるエリア情報の受信に応じて、カメラのフラッシュ禁止モードを解除する。その結果、ユーザは、カメラのフラッシュ禁止モードをオフにするという操作を行う必要がなくなるため、ユーザの利便性を向上させることができる。
【０１２５】
また、カメラが該当エリア情報を再受信した時、フラッシュ禁止モードが継続中であればそのままとする。
【０１２６】
なお、所定の継続時間が終了したならば、カメラにおいて、エリア情報によるフラッシュ禁止モードをノーマルモードにし、再度の受信に備える。これらの動作は、カメラ（機器２００）を携帯するユーザのマナー違反を防ぐための予備的手段であり、動作を保障するものではない。
【０１２７】
また、他の例として、エリア情報送信装置１００がエリア情報Ｂを送信する処理について説明する。ここで、エリア情報送信装置１００を、映画館の上映室、書店等に設置する。エリア情報送信装置１００のエリア情報格納部１２０には、エリア情報Ｂが格納されているとする。
【０１２８】
エリア情報Ｂは、撮影禁止モードを６０分間継続するための指示を示すとする。撮影禁止モードとは、カメラにおいて撮影を禁止するためのモードである。この場合、エリア情報Ｂに使用されるメッセージは、例えば、“CamShtDis,0060”である。
【０１２９】
この場合、エリア情報送信装置１００の選択送信部１３０は、所定時間（例えば、１分）毎に、エリア情報格納部１２０に格納されているエリア情報Ｂを選択するとともに、選択した当該エリア情報Ｂを、通信可能エリア内に送信しているとする。ここで、エリア情報受信デバイス３００は、通信可能エリア内に配置されているとする。この場合、エリア情報受信デバイス３００は、エリア情報Ｂを受信する。
【０１３０】
エリア情報受信デバイス３００の出力部３３０は、選択送信部１３０から受信したエリア情報Ｂを機器２００内の制御部２１０へ送信する。
【０１３１】
この場合、カメラ（機器２００）を持っているユーザが、通信可能エリア内に入ることにより、エリア情報受信デバイス３００の出力部３３０は、選択送信部１３０から受信したエリア情報Ｂを機器２００内の制御部２１０へ送信する。そして、カメラ（機器２００）内の制御部２１０は、エリア情報に従って、カメラ（機器２００）のモードを、撮影禁止モードに設定する。
【０１３２】
これにより、ユーザにより映画館の上映室、書店内等に持ち込まれたカメラ（機器２００）は、撮影ができなくなる。
【０１３３】
また、カメラが該当エリア情報を再受信した時、撮影禁止モードが継続中であればそのままとする。
【０１３４】
なお、所定の継続時間が終了したならば、カメラにおいて、エリア情報による撮影禁止モードをノーマルモードにし、再度の受信に備える。
【０１３５】
また、例えば、映画館、書店等の入出口付近にエリア情報送信装置１００を設置する。エリア情報送信装置１００が送信するエリア情報は、一例として、カメラ（機器２００）のモードを、ノーマルモードに設定するための指示であるとする。ノーマルモードとは、撮影禁止モードの設定を解除したモードである。
【０１３６】
これにより、映画館、書店等内に一旦入り、撮影禁止モードが設定されたカメラ（機器２００）を持っているユーザが、映画館、書店等の入出口から外に出るときにカメラにおいて以下の処理が行われる。
【０１３７】
すなわち、カメラ（機器２００）内の制御部２１０は、映画館、書店等の入出口付近に設置されるエリア情報送信装置１００から送信されるエリア情報の受信に応じて、カメラ（機器２００）を、ノーマルモードに設定する。その結果、ユーザは、カメラの撮影禁止モードを解除するための操作を行う必要がなくなるため、ユーザの利便性を向上させることができる。
【０１３８】
（自動車への組込み例）
次に、エリア情報受信デバイス３００を自動車に組み込んだ場合の処理、すなわち、機器２００が自動車である場合の処理について説明する。
【０１３９】
エリア情報受信デバイス３００の組み込み対象の機器が自動車である場合、自動車が走行する道路に立体交差が存在したり、高速道路と一般道路とが平行して配置されていたりする。そのため、エリア情報送信装置１００は、エリア情報を送信するための通信において、ＲＦ無線通信と指向性の良い光無線通信とを併用してもよい。この時、ＲＦ無線通信と光無線通信とで異なる複数のエリア情報受信デバイスを組み込んでもよい。
【０１４０】
図１０は、機器２００が自動車である場合における、自動車用フラグの状態遷移の一例を示す図である。
【０１４１】
（速度制限の例）
まず、自動車に対し速度制限を行うための例について説明する。ここで、エリア情報送信装置１００を、道路において速度制限が必要な区間（以下、速度制限区間ともいう）に設置する。なお、エリア情報送信装置１００は、例えば、速度制限区間の始まり部分で自動車に組み込んだエリア情報受信デバイス３００と通信可能エリアとなるように複数配置される。
【０１４２】
エリア情報送信装置１００が送信するエリア情報は、一例として、自動車の上限速度を６０Ｋｍ／ｈにした状態を１０分間継続するための指示を示すとする。この場合、エリア情報に使用されるメッセージは、例えば、“VecSpd,060,0010”である。
【０１４３】
この場合、自動車（機器２００）を運転しているユーザが、速度制限区間（通信可能エリア）内に入ることで、自動車（機器２００）内の制御部２１０は、エリア情報に従って、自動車の上限速度を６０Ｋｍ／ｈにした状態を１０分間継続する。これにより、速度制限区間を走る自動車（機器２００）の上限速度を、１０分間だけ、６０Ｋｍ／ｈにすることが可能となる。すなわち、自動車は、受信したエリア情報により上限速度を超えないようにすることができる。なお、自動車は、受信したエリア情報により、警告音を出すようにしてもよい。
【０１４４】
これにより、速度制限区間に進入した自動車の速度制限が可能となる。また、自動車（機器２００）が該当エリア情報を再受信した時、速度制限が継続中であればそのままとする。
【０１４５】
なお、制御部２１０は、所定の継続時間が終了したならば、エリア情報による制限速度を解除し、再度の受信に備える。これらの動作は、自動車（機器２００）の運転者のマナー違反を防ぐための予備的手段であり、動作を保障するものではない。
【０１４６】
また、さらに、速度制限区間の終了地点付近において、速度制限を解除するための指示を示すエリア情報を送信するエリア情報送信装置１００を設置してもよい。
【０１４７】
これにより、自動車（機器２００）が速度制限区間の終了地点付近を通過する際に、自動車において以下の処理が行われる。すなわち、自動車（機器２００）内の制御部２１０は、速度制限区間の終了地点付近に設置されるエリア情報送信装置１００から送信されるエリア情報の受信に応じて、自動車の速度制限を解除する。このような、構成により、速度制限区間に進入する自動車、及び、速度制限区間からでる自動車の速度制限が可能となる。
【０１４８】
次に、駐車場内にエリア情報送信装置１００を設置した場合の例について説明する。
【０１４９】
当該エリア情報送信装置１００が送信するエリア情報は、一例として、自動車の上限速度を２０Ｋｍ／ｈにした状態を３０分間継続するための指示を示すとする。この場合、エリア情報に使用されるメッセージは、例えば、“VecSpd,020,0030”である。
【０１５０】
この場合、自動車（機器２００）を運転しているユーザが、駐車場内に入ることにより、自動車（機器２００）内の制御部２１０は、エリア情報に従って、自動車の上限速度を２０Ｋｍ／ｈにした状態を３０分間継続する。これにより、駐車場内に進入した自動車（機器２００）の上限速度を、３０分間だけ、２０Ｋｍ／ｈにすることが可能となる。すなわち、自動車は、受信したエリア情報により上限速度を超えないようにすることができる。なお、自動車は、受信したエリア情報により、警告音を出すようにしてもよい。
【０１５１】
これにより、駐車場内に進入した自動車の速度制限が可能となる。また、自動車（機器２００）が該当エリア情報を再受信した時、速度制限が継続中であればそのままとする。
【０１５２】
なお、制御部２１０は、所定の継続時間が終了したならば、エリア情報による制限速度を解除し、再度の受信に備える。これらの動作は、自動車（機器２００）の運転者のマナー違反を防ぐための予備的手段であり、動作を保障するものではない。
【０１５３】
また、さらに、駐車場の出口付近において、速度制限を解除するための指示を示すエリア情報を送信するエリア情報送信装置１００を設置してもよい。
【０１５４】
これにより、自動車（機器２００）が駐車場の出口付近を通過する際に、自動車において以下の処理が行われる。すなわち、自動車（機器２００）内の制御部２１０は、駐車場の出口付近に設置されるエリア情報送信装置１００から送信されるエリア情報の受信に応じて、自動車の速度制限を解除する。このような、構成により、駐車場に進入する自動車、及び、駐車場からでる自動車の速度制限が可能となる。
【０１５５】
次に、駐車禁止区域にエリア情報送信装置１００を設置した場合の例について説明する。当該エリア情報送信装置１００が送信するエリア情報は、一例として、駐車禁止を示すとする。この場合、エリア情報に使用されるメッセージは、例えば、“VecPakDis”である。
【０１５６】
この場合、自動車（機器２００）を運転しているユーザが、駐車禁止区域に入ることにより、自動車（機器２００）内の制御部２１０は、エリア情報を受信し、当該エリア情報を保持する。
【０１５７】
制御部２１０は、エンジンを動作させるための鍵穴から、自動車のキー（鍵）が抜かれた時点で、エリア情報が駐車禁止を示すか否かを判定する。制御部２１０は、エリア情報が駐車禁止を示すと判定した場合、警告音等を鳴らすための処理を行う。なお、制御部２１０は、警告音が鳴っているときに、キーが再度、前記鍵穴に挿された時点で、警告音等を止める処理を行う。
【０１５８】
なお、制御部２１０は、エリア情報が駐車禁止を示さないと判定した場合、警告音等を鳴らすための処理は行わない。
【０１５９】
これにより、駐車禁止区域における駐車を防止することができる。
【０１６０】
なお、自動車（機器２００）内の制御部２１０は、エリア情報により駐車禁止の状態が継続中となり、且つ一定時間、該当エリア情報の受信ができない時は駐車禁止区域外に出たものと判断でき、駐車禁止の状態を駐車可の状態とする。
【０１６１】
これらの動作は、自動車（機器２００）の運転者のマナー違反を防ぐための予備的手段であり、動作を保障するものではない。
【０１６２】
（その他の変形例）
以上、本発明に係るエリア情報送受信システム１０００について、前記実施の形態に基づいて説明したが、本発明は、これら実施の形態に限定されるものではない。本発明の主旨を逸脱しない範囲内で、当業者が思いつく変形を本実施の形態に施したものも、本発明に含まれる。
【０１６３】
例えば、エリア情報受信デバイス３００を組み込む機器２００は、携帯電話、カメラ、自動車等以外の機器であってもよい。
【０１６４】
また、上記の実施の形態のエリア情報送信装置１００及びエリア情報受信デバイス３００の各々を構成する複数の構成要素の全てまたは一部は、ハードウエアで構成されてもよい。また、上記のエリア情報送信装置１００及びエリア情報受信デバイス３００の各々を構成する構成要素の全てまたは一部は、ＣＰＵ（Central Processing Unit）等により実行されるプログラムのモジュールであってもよい。
【０１６５】
また、上記の各実施の形態のエリア情報送信装置１００及びエリア情報受信デバイス３００の各々を構成する複数の構成要素の全てまたは一部は、１個のシステムＬＳＩ（Large Scale Integration：大規模集積回路）から構成されてもよい。
【０１６６】
また、本発明は、エリア情報送信装置１００及びエリア情報受信デバイス３００の各々が備える特徴的な構成部の動作をステップとする通信制御方法として実現してもよい。また、本発明は、そのような通信制御方法に含まれる各ステップをコンピュータに実行させるプログラムとして実現してもよい。また、本発明は、そのようなプログラムを格納するコンピュータ読み取り可能な記録媒体として実現されてもよい。また、当該プログラムは、インターネット等の伝送媒体を介して配信されてもよい。
【０１６７】
また、上記各実施形態で用いた全ての数値は、本発明を具体的に説明するための一例の数値である。すなわち、本発明は、上記実施形態で用いた各数値に制限されない。
【０１６８】
また、エリア情報送信装置１００及びエリア情報受信デバイス３００の各々の構成は、本発明を具体的に説明するための一例の構成である。例えば、第１の実施形態に係るエリア情報送信装置１００は、図２に示される全ての構成要素を備えなくてもよい。例えば、エリア情報送信装置１００は、通信Ｉ／Ｆ１４０及び操作パネル１５０を備えなくてもよい。つまり、本発明に係るエリア情報送信装置１００は、本発明の効果を実現できる最小限の構成のみを備えればよい。
【０１６９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１７０】
本発明は、機器の制御の汎用性が高いエリア情報送受信システムとして、利用することができる。
【符号の説明】
【０１７１】
１００  エリア情報送信装置
１１０，２１０，３４０  制御部
１２０  エリア情報格納部
１３０  選択送信部
２００  機器
３００  エリア情報受信デバイス
３１０  受信部
３２０  復調部
３３０  出力部
１０００  エリア情報送受信システム
【図１】
2013026753.tif 000003
【図２】
2013026753.tif 000004
【図３】
2013026753.tif 000005
【図４】
2013026753.tif 000006
【図５】
2013026753.tif 000007
【図６】
2013026753.tif 000008
【図７】
2013026753.tif 000009
【図８】
2013026753.tif 000010
【図９】
2013026753.tif 000011
【図１０】
2013026753.tif 000012
【手続補正書】
【提出日】平成23年12月27日(2011.12.27)
【手続補正１】
【補正対象書類名】特許請求の範囲
【補正対象項目名】全文
【補正方法】変更
【補正の内容】
【特許請求の範囲】
【請求項１】
機器を制御するための情報を少なくとも示すエリア情報の送受信のうち送信のみを行う機能を有するエリア情報送信装置と、前記エリア情報に応じた処理を行う携帯可能または移動可能な機器に組み込まれ、かつ、前記エリア情報の送受信のうち受信のみを行う機能を有するエリア情報受信デバイスを含む前記機器とを含むエリア情報送受信システムであって、
前記エリア情報送信装置は、エリアに対応づけて設置され、
前記エリア情報送信装置は、
複数のエリア情報を格納するエリア情報格納部と、
前記複数のエリア情報のうち１以上のエリア情報を選択し、選択した１以上のエリア情報を無線通信により前記エリア情報受信デバイスへ送信する選択送信部とを含み、
前記エリア情報受信デバイスは、
前記エリア情報送信装置から送信される前記エリア情報を無線通信により直接受信できるエリアに前記機器が存在する場合、前記エリア情報を受信し、当該エリア情報を受信する毎に、受信した当該エリア情報を前記機器内の制御部に送信する出力部とを含み、
前記機器は、状態の異なる複数のモードを有し、
前記エリア情報には、前記複数のモードが対応づけられ、
前記複数のモードの各々には優先順位が設定され、
前記機器内の制御部は、前記エリア情報を受信した場合、前記複数のモードのうち優先順位が高いモードで前記機器を動作させ、
前記エリア情報には、１以上のフィールドで構成されるメッセージが含まれ、前記メッセージには、一つのフィールドとして、前記モードでの動作を継続させる時間である継続時間を含ませることができ、
前記機器内の制御部は、前記継続時間を含むエリア情報を受信した場合には、前記エリア情報に対応するモードで、かつ、前記エリア情報に含まれる継続時間だけ前記機器を動作させ、前記継続時間を含まないエリア情報を受信した場合には、前記エリア情報に対応するモードで前記機器を動作させ、一定時間、当該エリア情報を受信できなくなった時点で、動作させている当該モードを解除する
エリア情報送受信システム。
【請求項２】
前記メッセージには、予め定められたフラグ情報である継続フラグフィールドを含ませることができ、
前記機器内の制御部は、受信したエリア情報のメッセージ中に前記継続フラグフィールドが含まれる場合には、当該エリア情報に含まれるメッセージと他のエリア情報に含まれるメッセージとを連結して得られるメッセージによって特定される情報に従って前記機器を動作させる
請求項１記載のエリア情報送受信システム。
【請求項３】
前記選択送信部は、ＲＦ無線通信及び光無線通信のどちらか一方によって前記エリア情報を送信し、
前記エリア情報受信デバイスには、前記ＲＦ無線通信によって前記エリア情報を受信するエリア情報受信デバイスと、前記光無線通信によって前記エリア情報を受信するエリア情報受信デバイスとが含まれる
請求項１記載のエリア情報送受信システム。
【請求項４】
前記エリア情報受信デバイスは、前記機器内の制御部からの指示に従って、前記エリア情報を受信する周波数の切り替えを行う、並びに、確認機能による規定の情報を前記機器に送信する
請求項１記載のエリア情報送受信システム。
【請求項５】
前記機器は、異なる複数の機能を有し、
前記エリア情報は、前記複数の機能のうち特定の機能を制御するための情報であり、
前記機器内の制御部は、前記エリア情報を受信した場合、前記エリア情報に従って、前記複数の機能のうち前記特定の機能を制御する
請求項１に記載のエリア情報送受信システム。
【請求項６】
前記エリア情報送信装置の前記選択送信部は、異なる前記機器に対する複数のエリア情報を選択し、選択した当該複数のエリア情報を、順次、前記エリア情報受信デバイスへ送信する
請求項１に記載のエリア情報送受信システム。
【請求項７】
前記機器は、異なる複数の機能を有し、
前記選択送信部が選択した異なる前記機器に対する前記複数のエリア情報は、それぞれ、前記複数の機能を制御するための情報であり、
前記エリア情報受信デバイスの出力部は、前記選択送信部から受信した複数のエリア情報を前記機器内の制御部へ順次送信し、
前記機器内の制御部は、順次受信した前記エリア情報の内、自機器に該当する複数のエリア情報を選択し、それぞれに対応する前記複数の機能を制御する
請求項６に記載のエリア情報送受信システム。
【請求項８】
請求項１〜７のいずれか１項に記載の前記エリア情報送信装置および前記エリア情報受信デバイスから構成されるエリア情報送受信システム。